(57)【要約】【課題】  コンパクトな構造でありながら軸流式のファンから発生する騒音を低減可能なファンフィルタユニットを提供する。【解決手段】  表板と背板を有する本体ケースの中に、前記表板と前記背板とを分けるようにして仕切り板が設けられており、前記仕切り板に軸流式のファンが配置されることによって、前記背板側に設けられた吸い込み口から前記表板側に設けられた吹き出し口に至る通路が迂回するように形成されており、さらに前記通路にフィルタが配置されており、  前記吹き出し口の一辺から前記吹き出し口の面に対する角度が９０〜０度となる方向を見たときに、及び前記吸い込み口の一辺から前記吸い込み口の面に対する角度が９０〜０度の方向を見たときに、前記ファンの表面又は裏面が見えない位置になるように前記ファンが配置されていることを特徴とするファンフィルタユニット。【選択図】  図１
2010233760.tif 000002
【特許請求の範囲】
【請求項１】
表板と背板を有する本体ケースの中に、前記表板と前記背板とを分けるようにして仕切り板が設けられており、前記仕切り板によって表板側と背板側が区分されており、前記仕切り板に軸流式のファンが配置されることによって、前記背板側に設けられた吸い込み口から前記表板側に設けられた吹き出し口に至る通路が迂回するように形成されており、さらに前記通路にフィルタが配置されており、
前記ファンに対して最も近い位置にある、前記吹き出し口の一辺から前記吹き出し口の面に対する角度が９０〜０度のうちいずれかの角度となる方向を見たときに、及び前記ファンに対して最も近い位置にある、前記吸い込み口の一辺から前記吸い込み口の面に対する角度が９０〜０度のうちいずれかの角度となる方向を見たときに、前記ファンの表面又は裏面が見えない位置になるように前記ファンが配置されていることを特徴とするファンフィルタユニット。
【請求項２】
前記吹き出し口の一辺から前記吹き出し口の面に対する角度が９０〜５０度のうちいずれかの角度となる方向を見たときに、及び前記吸い込み口の一辺から前記吸い込み口の面に対する角度が９０〜５０度のうちいずれかの角度となる方向を見たときに、前記ファンの表面又は裏面が見えない位置になるように前記ファンが配置されていることを特徴とする請求項１に記載のファンフィルタユニット。
【発明の詳細な説明】
【技術分野】
【０００１】
この発明は、例えば半導体工場、精密機械工場、または薬品製造工場などのクリーンルーム、或いは病院の室内等において、清浄な環境を造り出すファンフィルタユニットに関する。詳細には軸流式のファンを内蔵し運転時に騒音の発生が少ないファンフィルタユニットに関する。
【背景技術】
【０００２】
従来から、ファンフィルタユニットは、電子、精密、食品、衛生、バイオ、病院など清浄な作業環境、または居住空間が必要とされる分野で用いられている。これらの分野で用いられるファンフィルタユニットとしては、軸流式のファンやシロッコファン（又は遠心式ファン）などが内蔵されたものが広く用いられている。このうち、シロッコファンを内蔵したファンフィルタユニットは、比較的大型の設備として部屋の天井などに埋め込まれて用いられており、比較的大風量が必要とされる用途に適しているが、設備費用やメンテナンス費用が大きくなるという問題や、コンパクト化が難しいという問題があり、騒音も大きくなるという問題がある。
【０００３】
これに対して、軸流式のファンを内蔵したファンフィルタユニットは、空気の通路をファンの羽の大きさに応じて広く利用できる構造となっているため、低コストでコンパクト化できるという利点を有している。しかし、このような軸流式のファンを内蔵したファンフィルタユニットは、コンパクト化を重視するあまり、吸い込み口及び／又は吹き出し口とファンとが直結する形態となっているため、ファンから発生した騒音がファンフィルタユニットの外に発散されるという問題があった。このため特に静かな環境が要求される、病室、手術室、精密作業室などでは、防音対策が要求されていた。
【０００４】
このような、防音対策が施されたファンフィルタユニットとしては、例えば特許文献１のファン付きフィルタ装置が知られている。このフィルタ装置は、図７に示すように、軸流ファン２を内蔵したチャンバ１の下流側にフィルタ３を配置したファン付きフィルタ装置であり、軸流ファン２の上流側に軸流ファン２の空気吸込口２ｄより小さな開口部６ａを有する気流逆流防止板６を設けている。そして、この気流逆流防止板６を設けることにより、軸流ファンを通った吹き込み風がフィルタに当たり跳ね返り風が発生しても、気流逆流防止板により再度フィルタ側へ跳ね返すことで吹き込み風と乱流を生じ難くなり、乱流による異音が防止できることが記載されている。
【０００５】
しかし、このフィルタ装置では、吸い込み口６ａと軸流ファン２とが直結すると共にチャンバ１からの吹き出し口と軸流ファンとがほぼ直結する形態となっており、乱流による異音が防止できても、軸流ファン２から発生した騒音がファンフィルタユニットの外に発散されるという問題に対して、その騒音自体を低減することはできない構造となっていた。
【０００６】
そこで、コンパクトな構造でありながら軸流式のファンから発生する騒音を低減可能なファンフィルタユニットが求められていた。
【先行技術文献】
【特許文献】
【０００７】
【特許文献１】特開平９−２９４９０９号公報
【発明の概要】
【発明が解決しようとする課題】
【０００８】
本発明は、上記問題を解決して、コンパクトな構造でありながら軸流式のファンから発生する騒音を低減可能なファンフィルタユニットを提供することを課題とする。
【課題を解決するための手段】
【０００９】
上記課題を解決するための手段は、請求項１に係る発明では、
表板と背板を有する本体ケースの中に、前記表板と前記背板とを分けるようにして仕切り板が設けられており、前記仕切り板によって表板側と背板側が区分されており、前記仕切り板に軸流式のファンが配置されることによって、前記背板側に設けられた吸い込み口から前記表板側に設けられた吹き出し口に至る通路が迂回するように形成されており、さらに前記通路にフィルタが配置されており、
前記ファンに対して最も近い位置にある、前記吹き出し口の一辺から前記吹き出し口の面に対する角度が９０〜０度のうちいずれかの角度となる方向を見たときに、及び前記ファンに対して最も近い位置にある、前記吸い込み口の一辺から前記吸い込み口の面に対する角度が９０〜０度のうちいずれかの角度となる方向を見たときに、前記ファンの表面又は裏面（以下、総称して単に片面と称することがある。）が見えない位置になるように前記ファンが配置されていることを特徴とするファンフィルタユニットである。
このファンフィルタユニットによって、コンパクトな構造でありながら軸流式のファンから発生する騒音を低減可能なファンフィルタユニットを提供することが可能となる。
【００１０】
請求項２に係る発明では、前記吹き出し口の一辺から前記吹き出し口の面に対する角度が９０〜５０度のうちいずれかの角度となる方向を見たときに、及び前記吸い込み口の一辺から前記吸い込み口の面に対する角度が９０〜５０度のうちいずれかの角度となる方向を見たときに、前記ファンの表面又は裏面が見えない位置になるように前記ファンが配置されていることを特徴とする請求項１に記載のファンフィルタユニットであり、特に軸流式のファンから発生する騒音をより顕著に低減可能なる。
【発明の効果】
【００１１】
コンパクトな構造でありながら軸流式のファンから発生する騒音を低減可能なファンフィルタユニットを提供することが可能となった。
【図面の簡単な説明】
【００１２】
【図１】（ａ）は本発明のファンフィルタユニットの横断面の模式図、（ｂ）は背面の模式図である。
【図２】（ａ）は本発明の別のファンフィルタユニットの横断面の模式図、（ｂ）は背面の模式図である。
【図３】本発明のさらに別のファンフィルタユニットの横断面の模式図である。
【図４】本発明のさらに別のファンフィルタユニットの横断面の模式図である。
【図５】本発明のさらに別のファンフィルタユニットの横断面の模式図である。
【図６】本発明のさらに別のファンフィルタユニットの横断面の模式図である。
【図７】従来のファンフィルタユニットの横断面の模式図である。
【図８】（ａ）は従来のファンフィルタユニットの横断面の模式図、（ｂ）は背面の模式図である。
【発明を実施するための形態】
【００１３】
以下、本発明に係るファンフィルタユニットの好ましい実施の形態について詳細に説明する。
【００１４】
本発明のファンフィルタユニット１０は、図１（ａ）の横断面図及び（ｂ）の背面図に例示するように、表板１１と背板１２を有する本体ケース２０の中に、前記表板１１と前記背板１２とを分けるようにして仕切り板１７が設けられており、前記仕切り板１７によって表板側と背板側が区分されており、前記仕切り板１７に軸流式のファン３０が配置されることによって、前記背板側に設けられた吸い込み口１５から前記表板側に設けられた吹き出し口１６に至る通路２１が迂回するように形成されており、さらに前記通路２１にフィルタ４０、４１が配置されており、前記ファン３０に対して最も近い位置にある、前記吹き出し口１６の一辺Ａから前記吹き出し口１６の面に対する角度が９０〜０度のうちいずれかの角度αとなる方向を見たときに、及び前記ファン３０に対して最も近い位置にある、前記吸い込み口１５の一辺Ｂから前記吸い込み口１５の面に対する角度が９０〜０度のうちいずれかの角度βとなる方向を見たときに、前記ファン３０の片面３１が見えない位置になるように前記ファン３０が配置されていることを特徴としている。
【００１５】
なお、前述の「片面が見えない位置」とは、吹き出し口とファンの位置関係あるいは吸い込み口とファンの位置関係を表わす表現であり、仕切り板による遮蔽されている場合を除き実際に見えるか否かを意味していない。例えば、仕切り板によって遮られて実際に見えない場合は「見えない」と表現する。また通路中にフィルタ、防音材、邪魔板などからなる遮蔽物が配置されており、これらの遮蔽物によって遮られて実際に見えない場合は「見えない」と表現されない。すなわち、仕切り板以外の遮蔽物は除いて見た時の状態に応じて、「見える」または「見えない」と表現するものとする。
【００１６】
図１に例示するファンフィルタユニット１０の好適な使用方法としては、例えば病院の室内に置かれたベッドをカーテンなどから組み立てた簡易な隔離ブースによって隔離して、隔離ブース内の空気と室内の空気の出入りに際して、感染を防止するために隔離ブースに付属するようにして使用する方法がある。このファンフィルタユニットの本体ケース２０は、鋼板製であり、表板１１及び背板１２とこれらに交差するように配置された上板１３及び下板１４とから構成されており、下板１４には車輪５１が備えられており、ファンフィルタユニット１０全体が隔離ブースの設置場所に応じて室内の任意の場所に移動可能となっている。
【００１７】
また、背板側の背板１２には吸い込み口１５が設けられていると共に表板側の表板１１に吹き出し口１６が設けられており、仕切り板１７が表板１１と背板１２とを分けるようにして設けられている。この例では、仕切り板１７は、上端が上板１３の中央付近に接続され下方にその先端が背板１２側に傾斜するように配置される部分１７ａと、その部分１７ａに折れ曲がって繋がり背板１２と平行に下方へ配置される部分１７ｂと、その部分１７ｂと直角に曲がって繋がり下板１４に平行に配置され、先端が表板１１に接続される部分１７ｃとからなっている。そして、この仕切り板１７によって、表板側と背板側が区分されており、さらに前記仕切り板１７に軸流式のファン３０が配置されることによって、前記背板側に設けられた吸い込み口１５から前記表板側に設けられた吹き出し口１６に至る通路２１が迂回するように形成されており、吸い込み口１５から吸込まれた室内の空気がこの通路２１を通って、吹き出し口１６から吹き出すようになっている。
【００１８】
また、吹き出し口１６にはアルミ製の枠と一体化したＨＥＰＡフィルタがフィルタ４０として配置されており、吸い込み口１５には金属枠に納められたプレフィルタがフィルタ４１として配置されている。
【００１９】
また、前記仕切り板１７に軸流式のファン３０が配置されているが、この例では前述の仕切り板１７の部分１７ｃ（下板１４に平行に配置され、先端が表板１１に接続される部分）に配置されている。この軸流式のファン３０は、ファンのフレームに回転軸が取り付けられて回転翼３２が回転するようになっている。また、このファン３０は、フィルタケースの大きさに応じて、複数個設置することが可能である。また、このような軸流式のファン３０からの騒音は、主にファンの側面よりは表面又は裏面３１の前後に発散される。
【００２０】
また、本発明では、前記ファン３０に対して最も近い位置にある、前記吹き出し口１６の一辺Ａから前記吹き出し口１６の面に対する角度が９０〜０度のうちいずれかの角度αとなる方向を見たときに、ファン３０の片面３１が見えない位置になるように前記ファン３０が配置されている。図１の例では、吹き出し口１６の下端Ａから片面３１の右端ＦＡを結ぶ直線と吹き出し口１６の面とのなす角度が４５度となっており、その結果、吹き出し口１６から前記吹き出し口１６の面に対する角度が９０〜４５度となる方向を見たときに、ファン３０の片面３１が見えない位置になるように前記ファン３０が配置されている。したがって、４５度を超え０度となる方向を見たときは、ファン３０の片面３１が見える位置になっている。
【００２１】
ここで、吹き出し口１６の下端Ａから片面３１の右端ＦＡを結ぶ直線を選択する理由は、吹き出し口１６の下端Ａと片面３１とを結ぶ直線のうち、吹き出し口１６の面に対する角度が最も大きくなる直線となるからである。そして、図１の例では、ファン３０の位置が、上板１３に近づくにつれて、この限界の角度αは４５度よりも大きくなり、下板１４に近づくにつれて、この限界の角度αは４５度よりも小さくなることがわかる。なお、前記片面３１においてＦＡの点を求めるには、点Ａに目を置いて徐々に下の方を見ていき仕切り板やフィルタなどがないものとして最初に片面３１が見える点をＦＡとすることができる。
【００２２】
本発明では、このように、前記ファン３０に対して最も近い位置にある、前記吹き出し口１６の一辺Ａからファン３０の片面３１が見えない位置になるように前記ファン３０が配置されているので、前記ファン３０からの騒音が直接的に吹き出し口１６から発散されることがないため、すなわち、前記ファン３０の軸方向に沿った経路で吹き出し口１６から発散されることがなく、折れ曲がった経路で吹き出し口１６から発散されるので、ファンから発生する騒音を低減することが可能になっている。
【００２３】
また、本発明では、前記ファン３０に対して最も近い位置にある、前記吸い込み口１５の一辺Ｂから前記吸い込み口１５の面に対する角度が９０〜０度のうちいずれかの角度βとなる方向を見たときに、前記ファン３０の片面３１が見えない位置になるように前記ファン３０が配置されている。図１の例では、吸い込み口１５の下端Ｂから片面３１の左端ＦＢを結ぶ直線が仕切り板１７の部分１７ａを横切る状態となっているため、吸い込み口１５の一辺Ｂから前記吸い込み口１５の面に対する角度が９０〜０度となる方向を見たときに、ファン３０の片面３１が見えない位置になるように前記ファン３０が配置されていることになる。なお、前記片面３１においてＦＢの点を求めるには、点Ｂに目を置いて徐々に下の方を見ていき仕切り板やフィルタなどがないものとして最初に片面３１が見える点をＦＢとすることができる。なお、図１では実際には、ＦＢは仕切り板１７の部分１７ａによって遮られて見えない位置となっている。
【００２４】
本発明では、このように、前記ファン３０に対して最も近い位置にある、吸い込み口１５の一辺Ｂからファン３０の片面３１が見えない位置になるように前記ファン３０が配置されているので、前記ファン３０からの騒音が直接的に吸い込み口１５から発散されることがないため、すなわち、前記ファン３０の軸方向に沿った経路で吸い込み口１５から発散されることがなく、折れ曲がった経路で吸い込み口１５から発散されるので、ファンから発生する騒音を低減することが可能になっている。
【００２５】
前述のように、図１の例では、ファン３０の位置が、下板１４に近づくにつれて、ファン３０の片面３１が見える限界の角度αは４５度よりも小さくなるが、このような例として例えば、図２に例示するファンフィルタユニットを挙げることができる。図２の例では、ファン３０の片面３１が見える限界の角度αは３０度であり、図１のファンフィルタユニットよりもファンから発生する騒音をより低減することが可能な構造である。このように、ファン３０の片面３１が見える限界の角度αは小さくなるほど好ましいが、小さくなり過ぎると、ファンフィルタユニットの高さも高くなり、室内に設置できなくなる場合があるので、この限界の角度は５０度であることが好ましく、３５度であることがより好ましい。
【００２６】
すなわち、前記吹き出し口の一辺から前記吹き出し口の面に対する角度が９０〜５０度のうちいずれかの角度となる方向を見たときに、及び前記吸い込み口の一辺から前記吸い込み口の面に対する角度が９０〜５０度のうちいずれかの角度となる方向を見たときに、前記ファンの片面が見えない位置になるように前記ファンが配置されていることが好ましい。また、前記吹き出し口の一辺から前記吹き出し口の面に対する角度が９０〜３５度のうちいずれかの角度となる方向を見たときに、及び前記吸い込み口の一辺から前記吸い込み口の面に対する角度が９０〜３５度のうちいずれかの角度となる方向を見たときに、前記ファンの片面が見えない位置になるように前記ファンが配置されていることが好ましい。
【００２７】
本発明では、仕切り板は、表板と背板とを分けるようにして設けられている限り、特に限定されず、図１の例以外にも図３及び図４に例示するように、上端が上板１３の中央付近に接続され下方にその先端が背板１２側に傾斜するように配置される部分１７ａと、その部分１７ａに繋がり背板１２に平行に配置され、先端が下板１１に接続される部分１７ｂとからなる仕切り板１７であることも可能である。
【００２８】
また、本発明では、吸い込み口１５は背板側に設けられている限り特に限定されず、例えば図１〜３に例示するように、背板１２の上部付近に設けられる例を挙げることができる。また、図４及び図５に例示するように、上板１３に設けられる例を挙げることができる。また、図６に例示するように、表板１１の下部に設けられる例を挙げることができる。ここで、背板側とは、仕切り板１７によって表板１１と背板１２とを分けて得られる領域であるが、図１、図２、図５及び図６のように、表板の一部を含む領域であることも可能である。すなわち、背板の大部分を含む領域を背板側と称している。同様に、表板の大部分を含む領域を表板側と称している。また、吹き出し口１６も表板側に設けられている限り特に限定されず、例えば図１〜６に例示するように、表板１１の上部付近に設けられる例を挙げることができる。
【００２９】
なお、前述のように、病院の室内に置かれたベッドをカーテンなどから組み立てた簡易な隔離ブースによって隔離して、隔離ブース内の空気と室内の空気の出入りに際して、感染を防止する目的で本発明のファンフィルタユニットを隔離ブースに付属するようにして使用する場合は、吸い込み口１５に吸い込まれる空気と吹き出し口から吹き出される空気とを分けることができる、図１〜５に示される形態のファンフィルタユニットが好適であり、図１〜３に示される形態のファンフィルタユニットがより好適である。
【００３０】
また、本発明では、軸流式のファン３０についても、前記仕切り板１７に配置されていると共に、前記吹き出し口１６の一辺Ａから所定の角度となる方向を見たときに、及び前記吸い込み口１５の一辺Ｂから所定の角度となる方向を見たときに、前記ファンの片面が見えない位置になるように配置されている限り、特に限定されず、例えば、図１、図２及び図５では、下板１４と平行な位置関係になっている仕切り板の部分１７ｃに配置されている。また、図３、図４及び図６では、背板１２と平行な位置関係になっている仕切り板の部分１７ｂに配置されている。なお、図１、図２、図５及び図６の例では、いずれも吸い込み口１５からどのような角度でファン３０の片面３１又は３１ｂを見ようとしても、切り板１７に遮られて見ることができない。すなわち、図１、図２、図５及び図６の例では、吸い込み口１５から前記吸い込み口１５の面に対する角度が９０〜０度のうちいずれの角度となる方向を見ても、前記ファンの表面又は裏面が見えない位置になるように前記ファンが配置されているといえる。
【００３１】
また、本発明では前記通路２１にフィルタ４０、４１が配置されているが、ここで「通路」とは吸い込み口から吹き出し口に至るまでの通路の途中、及び吸い込み口付近、及び吹き出し口付近も含む領域を指している。例えば図１〜６では、フィルタ４０は吹き出し口１６に接するようにして配置されており、フィルタ４１は吸い込み口１５に接するようにして配置されている。
【００３２】
また、本発明では、図１に示すように、通路２１の壁に吸音材や防音材を取付けることも可能である。図１では、仕切り板の部分１７ａの表裏に吸音材５０ａ及び５０ｂが取付けられており、背板１２、下板１４及び表板１１の内側にそれぞれ吸音材５０ｃ、５０ｄ及び５０ｅが取付けられている。また、本発明による防音効果をさらに高める目的で、通路の途中に邪魔板などを設置することも可能である。この場合、前述のように本発明でいうファンの片面が見えるか否かの判定は、この邪魔板を除外した状態で行なうものとする。また、通路の途中にフィルタ４０が配置されている場合も、このフィルタ４０を除外した状態で行なうものとする。
【００３３】
本発明のファンフィルタユニットの寸法は、車輪５１を除いた場合に、縦が５００〜２０００ｍｍ、幅が３００〜１２００ｍｍ、奥行きが１５０〜５００ｍｍであることが好ましい。
【００３４】
本発明のファンフィルタユニットは、前述のように病院の室内に置かれたベッドをカーテンなどから組み立てた簡易な隔離ブースによって隔離して、隔離ブース内の空気と室内の空気の出入りに際して、感染を防止する目的で用いる移動式の用途や、壁または天井に設置する用途、あるいは机上にフードと共に設置して簡易的な清浄空間を設ける用途などの用途に好適に用いることができる。
【実施例】
【００３５】
以下、本発明の実施例について説明するが、これは発明の理解を容易とするための好適例にすぎず、本発明はこれら実施例の内容に限定されるものではない。
【００３６】
（実施例１）
図１に示す形態のファンフィルタユニットを準備した。このファンフィルタユニットの仕様と騒音値を下記に示す。
大きさ：縦６５０ｍｍ×幅５００ｍｍ×奥行き２５０ｍｍ
限界角度α：４５度
限界角度β：３５度（但し、吸い込み口１５の一辺Ｂから角度βとなる方向を見たときに、ファン３０の片面３１は、仕切り板１７に遮られて見えない位置にある。）
処理風量：０．８ｍ３／ｍｉｎ
電源：１００Ｖ  ５０Ｈｚ
消費電力：１８Ｗ
運転電流：１８１ｍＡ
吸い込み側の騒音値：４１ｄＢ（Ａ）
吹き出し側の騒音値：４２ｄＢ（Ａ）
【００３７】
（実施例２）
図２に示す形態のファンフィルタユニットを準備した。このファンフィルタユニットの仕様と騒音値を下記に示す。
大きさ：縦９３５ｍｍ×幅５００ｍｍ×奥行き２５０ｍｍ
限界角度α：１３度
限界角度β：２０度（但し、吸い込み口１５の一辺Ｂから角度βとなる方向を見たときに、ファン３０の片面３１は、仕切り板１７に遮られて見えない位置にある。）
処理風量：０．８ｍ３／ｍｉｎ
電源：１００Ｖ  ５０Ｈｚ
消費電力：１８Ｗ
運転電流：１８１ｍＡ
吸い込み側の騒音値：３５ｄＢ（Ａ）
吹き出し側の騒音値：３９ｄＢ（Ａ）
【００３８】
（比較例１）
図８に示す形態のファンフィルタユニットを準備した。このファンフィルタユニットは図８（ａ）の横断面図及び（ｂ）の背面図に例示するように、表板１１と背板１２を有する本体ケース２０の中に、前記表板１１と前記背板１２とを分けるようにして仕切り板１７が設けられており、前記仕切り板１７によって表板側と背板側が区分されており、前記仕切り板１７に軸流式のファン３０が配置されることによって、前記背板側に設けられた吸い込み口１５から前記表板側に設けられた吹き出し口１６に至る通路が形成されており、さらに前記通路にフィルタ４０、４１が配置されており、前記ファン３０に対して最も近い位置にある、前記吹き出し口１６の一辺Ａから前記吹き出し口１６の面に対する角度αが１６７度となる方向を見たときに、及び前記ファン３０に対して最も近い位置にある、前記吸い込み口１５の一辺Ｂから前記吸い込み口１５の面に対する角度βが１６２度となる方向を見たときに、前記ファン３０の片面３１が見えない位置になるように前記ファン３０が配置されている。また、遮音板５２が吸い込み口１５と仕切り板１７との間に配置されており、遮音板５３が吹き出し口１６と仕切り板１７との間に配置されている。
このファンフィルタユニットの仕様と騒音値を下記に示す。
大きさ：縦３００ｍｍ×幅３００ｍｍ×奥行き２２０ｍｍ
限界角度α：１６７度
限界角度β：１６２度
処理風量：０．４ｍ３／ｍｉｎ
電源：１００Ｖ  ５０Ｈｚ
消費電力：１８Ｗ
運転電流：１８１ｍＡ
吸い込み側の騒音値：４６ｄＢ（Ａ）
吹き出し側の騒音値：４４ｄＢ（Ａ）
【００３９】
実施例の結果によれば、比較例１のファンフィルタユニットにおいて遮音板５２、５３が配置されているにもかかわらず、実施例１及び実施例２のファンフィルタユニットは、比較例１のファンフィルタユニットと比較して、騒音値が著しく低いことが確認された。また、実施例１と実施例２を比較すると、限界角度の値が小さい実施例２のファンフィルタユニットでは、騒音値が低くなることが確認された。
【符号の説明】
【００４０】
１０  ファンフィルタユニット
１１  表板
１２  背板
１３  上板
１４  下板
１５  吸い込み口
１６  吹き出し口
１７  仕切り板
１７ａ、１７ｂ、１７ｃ  仕切り板の部分
２０  本体ケース
２１  通路
３０  ファン
３１  ファンの表面、裏面または片面
３１ａ  ファンの表面または片面
３１ｂ  ファンの裏面または片面
３２  回転翼
４０  フィルタ
４１  フィルタ
５０ａ、５０ｂ、５０ｃ、５０ｄ、５０ｅ  吸音材又は防音材
５１  車輪
５２、５３  遮音板
【図１】
2010233760.tif 000003
【図２】
2010233760.tif 000004
【図３】
2010233760.tif 000005
【図４】
2010233760.tif 000006
【図５】
2010233760.tif 000007
【図６】
2010233760.tif 000008
【図７】
2010233760.tif 000009
【図８】
2010233760.tif 000010